(57)【要約】【課題】タッチ入力に適した操作インタフェースを実現する。【解決手段】  端末装置は、制御部と、制御部の制御に基づき映像を表示する表示部と、振動を検知するセンサ部とを備え、制御部は、センサ部が所定の振動を検知したことに応じて、表示部に表示させている映像の一部である拡大表示内容を、拡大して拡大表示領域に表示することを特徴とする。センサ部は、振動及び姿勢を検知することができるとよく、制御部は、センサ部が振動を検知したときの姿勢をセンサ部から取得し、取得した姿勢に応じて、表示部において拡大表示領域の位置を決定するとよい。【選択図】図４
2019012490.tif 000002
【特許請求の範囲】
【請求項１】
制御部と、
前記制御部の制御に基づき映像を表示する表示部と、
振動を検知するセンサ部と
を備える端末装置であって、
前記制御部は、前記センサ部が所定の振動を検知したことに応じて、前記表示部に表示させている映像の一部である拡大表示内容を、拡大して拡大表示領域に表示することを特徴とする端末装置。
【請求項２】
前記センサ部は、振動及び姿勢を検知することができ、
前記制御部は、前記センサ部が振動を検知したときの姿勢を前記センサ部から取得し、取得した姿勢に応じて、前記表示部において前記拡大表示領域の位置を決定することを特徴とする請求項１に記載の端末装置。
【請求項３】
前記制御部は、前記センサ部が検知した振動の大きさ及び／又は回数に応じて、前記拡大表示内容を拡大する倍率を決定することを特徴とする請求項１または２に記載の端末装置。
【請求項４】
前記表示部に重ねて設けられ、接触による入力操作を検知するタッチパネルをさらに備え、
前記制御部は、スライド操作が前記拡大表示領域に対応する位置に対し行われたことを前記タッチパネルが検知すると、前記拡大表示内容を、前記スライド操作の方向及び／又は大きさに応じて変更することを特徴とする請求項１から３の何れか１項に記載の端末装置。
【請求項５】
前記制御部は、スライド操作以外の入力操作が前記拡大表示領域に対応する位置に対し行われたことを前記タッチパネルが検知すると、前記入力操作が行われたときに前記拡大表示領域に表示している前記拡大表示内容に基づいて、前記拡大表示領域における接触位置を、元の映像における位置に変換し、変換後の元の映像における位置に対する接触操作として入力操作を受け付けることを特徴とする請求項４に記載の端末装置。
【請求項６】
前記表示部に重ねて設けられ、接触による入力操作を検知するタッチパネルをさらに備え、
前記制御部は、入力操作が前記拡大表示領域に対応する位置に対し行われたことを前記タッチパネルが検知すると、前記入力操作が行われたときに前記拡大表示領域に表示している前記拡大表示内容に基づいて、前記拡大表示領域における接触位置を、元の映像における位置に変換し、変換後の元の映像における位置に対する接触操作として入力操作を受け付けることを特徴とする請求項１から３の何れか１項に記載の端末装置。
【請求項７】
前記制御部は、前記拡大表示領域が表示された状態において、前記拡大表示領域以外の領域に対する入力操作を前記タッチパネルが検知すると、前記表示部に、前記拡大表示領域の表示を終了させるとともに元の映像を表示させることを特徴とする請求項４から６の何れか１項に記載の端末装置。
【請求項８】
コンピュータを請求項１から７の何れか１項に記載の端末装置として機能させることを特徴とするプログラム。
【発明の詳細な説明】
【技術分野】
【０００１】
本発明は、タッチ入力に適した操作インタフェースを実現する端末装置およびプログラムに関する。
【背景技術】
【０００２】
従来から、測定対象物を測定する各種の測定装置が実現されている。測定装置は、その本体と制御装置が分離した構成として提供されることも珍しくない。ところで、近年、入力および表示手段としてタッチパネルディスプレイを備えるいわゆるタブレットコンピュータが高性能化し普及したことに伴い、タブレットコンピュータを測定装置の制御装置として（あるいは制御装置の入力インタフェースとして）備える測定装置が提案されつつある（例えば、特許文献１参照）。
【０００３】
メニューやアイコンを表示するタッチパネルディスプレイに触れることで操作する、いわゆるタッチインタフェースは、直感的な操作を可能とする反面、表示画面内の細かな位置を指定しようとした場合には、ユーザの意図した位置を正確に指定することが困難である。すなわち、マウスをはじめとする従来の入力手段では、表示画面内の位置を指定する場合、マウス等を用いて画面内に表示されるカーソルを移動させ、意図した位置に正確にカーソルを合わせて位置を指定することができる。これに対して、タッチインタフェースでは、通常、指やペン先によりディスプレイに接触している領域の重心を指定した位置とする。この接触している領域の重心は、ユーザからは指やペン先の裏に隠れて見えないので、ユーザは自らが指定している位置を正確に知ることができず、意図した位置を正確に指定することは容易でない。
【０００４】
特に、マウス等の従来の入力手段による操作を前提に設計されたソフトウェアをタッチインタフェースにて操作する場合には、タッチインタフェースにより接触位置を指定する精度に対しメニュー項目やツールバーボタンの表示サイズが十分に大きくない場合があり、正確な操作を行うことは容易ではない。その一方で、従来から使用しているソフトウェアをタッチインタフェース用に改修することは、コストや労力の点で容易でない。
【先行技術文献】
【特許文献】
【０００５】
【特許文献１】特開２０１６−１７３７０３号公報
【発明の概要】
【発明が解決しようとする課題】
【０００６】
このような問題に鑑みて、本発明は、タッチ入力で正確な位置指定を可能とする端末装置及びプログラムを提供することを目的とする。
【課題を解決するための手段】
【０００７】
上記課題を解決すべく、本発明の端末装置は、制御部と、制御部の制御に基づき映像を表示する表示部と、振動を検知するセンサ部とを備え、制御部は、センサ部が所定の振動を検知したことに応じて、表示部に表示させている映像の一部である拡大表示内容を、拡大して拡大表示領域に表示することを特徴とする。
【０００８】
本発明では、センサ部は、振動及び姿勢を検知することができるとよく、制御部は、センサ部が振動を検知したときの姿勢をセンサ部から取得し、取得した姿勢に応じて、表示部において拡大表示領域の位置を決定するとよい。
【０００９】
本発明では、制御部は、センサ部が検知した振動の大きさ及び／又は回数に応じて、拡大表示内容を拡大する倍率を決定するとよい。
【００１０】
本発明では、表示部に重ねて設けられ、接触による入力操作を検知するタッチパネルをさらに備え、
制御部は、スライド操作が拡大表示領域に対応する位置に対し行われたことをタッチパネルが検知すると、拡大表示内容を、スライド操作の方向及び／又は大きさに応じて変更するとよい。また、制御部は、入力操作が拡大表示領域に対応する位置に対し行われたことをタッチパネルが検知すると、入力操作が行われたときに拡大表示領域に表示している拡大表示内容に基づいて、拡大表示領域における接触位置を、元の映像における位置に変換し、変換後の元の映像における位置に対する接触操作として入力操作を受け付けるとよい。
【００１１】
本発明では、制御部は、拡大表示領域が表示された状態において、拡大表示領域以外の領域に対する入力操作をタッチパネルが検知すると、表示部に、拡大表示領域の表示を終了させるとともに元の映像を表示させるとよい。
【００１２】
本発明のプログラムは、コンピュータを上記何れかの端末装置として機能させることを特徴とする。
【図面の簡単な説明】
【００１３】
【図１】測定装置の一例である画像測定装置の構成を示す斜視図である。
【図２】コンピュータの機能ブロック図を示す。
【図３】タッチパネルディスプレイに表示される表示画面の例を示す。
【図４】拡大表示処理のフローチャートを示す。
【図５】コンピュータの姿勢を例示する図である。
【図６】拡大表示内容と拡大表示領域の関係を示す図である。
【図７】拡大表示領域に対するスライド操作が行われるときの表示例を示す。
【発明を実施するための形態】
【００１４】
以下、本発明の実施形態を図面に基づいて説明する。なお、以下の説明では、同一の部材には同一の符号を付し、一度説明した部材については適宜その説明を省略する。
【００１５】
〔測定装置の構成〕
図１は、測定装置の一例である画像測定装置１の構成を示す斜視図である。画像測定装置１は、測定装置本体１０と、この測定装置本体１０を駆動制御するとともに、必要なデータ処理を実行するコンピュータ２０とを備える。
【００１６】
測定装置本体１０は、架台１１と、試料台（ステージ）１２と、支持アーム１３ａおよび１３ｂと、Ｘ軸ガイド１４と、撮像ユニット１５とを備える。図１に示されるように、測定装置本体１０は、フロアに設置された除振台３上に配置される。除振台３の天板上には架台１１が配置され、その上に、測定対象物（ワーク）Ｗを載置するステージ１２がその上面をベース面として水平面と一致するように載置される。ステージ１２は、図示しないＹ軸駆動機構によってＹ軸方向に駆動され、ワークＷを撮像ユニット１５に対してＹ軸方向に移動可能とされている。架台１１の両側縁中央部には上方に延びる支持アーム１３ａ、１３ｂが固定され、この支持アーム１３ａ、１３ｂの両上端部を連結するようにＸ軸ガイド１４が固定される。このＸ軸ガイド１４は、撮像ユニット１５を支持する。撮像ユニット１５は、図示しないＸ軸駆動機構によってＸ軸ガイド１４に沿って駆動される。
【００１７】
撮像ユニット１５は、ワークＷの二次元画像を撮像する画像光学ヘッド１５１を備え、コンピュータ２０が設定する測定位置でワークを測定する。
【００１８】
本実施形態のコンピュータ２０は、ディスプレイに重ねてタッチパネルが設けられたいわゆるタッチパネルディスプレイを備える、タブレットコンピュータである。コンピュータ２０は、測定装置本体１０を制御して測定を実行するとともに、測定結果を測定装置本体から取得して測定データを処理する。図２は、コンピュータ２０の構成を示す機能ブロック図である。コンピュータ２０は、表示部２０１、記憶部２０２、タッチパネル２０４、制御部２０５、センサ部２０６、及び通信部２０８を備える。
【００１９】
表示部２０１は、例えば、ＬＣＤ（液晶ディスプレイ、Liquid Crystal Display）、ＯＥＬＤ（有機ＥＬディスプレイ、Organic Electro-Luminescent Display）などである。表示部２０１は、制御部２０５の制御に従い各種の表示をおこなう。表示部２０１は、例えば、測定装置本体１０を制御したり測定結果を処理したりするための測定プログラムの操作画面を表示する。表示部２０１が表示する画面は、後述する拡大表示処理により部分的に拡大表示することができる。
【００２０】
記憶部２０２は、例えばＲＡＭ（Random Access Memory）、ＨＤＤ（Hard disk drive）やＳＳＤ（Solid State Drive）など、書き換え可能な記憶装置である。記憶部２０２は、制御部２０５が実行する各種のプログラム（例えば、測定装置本体１０を制御したり測定結果を処理したりするための測定プログラム、拡大表示処理を実行する拡大表示制御プログラム等）や、プログラムで用いられるデータ等を記憶する。
【００２１】
タッチパネル２０４は、接触による入力操作を検知する装置である。タッチパネル２０４は検知した入力操作を制御部２０５に伝達する。タッチパネル２０４は表示部２０１に重ねて設けられており、表示部２０１と協働して、いわゆるタッチ入力インタフェースを提供する。なお、コンピュータ２０はタッチパネル２０４以外に物理的なボタン、マイク等の入力手段を備えてもよい。
【００２２】
制御部２０５は、ＣＰＵ（Central Processing Unit）などのプロセッサであり、記憶部２０２に記憶されたプログラムを読み出して実行することにより、画像測定装置１の各部を制御する。例えば、制御部２０５は、測定プログラムを実行することにより、測定装置本体１０を制御して測定を実行したり、測定結果を測定装置本体から取得して測定データを処理したりする。
【００２３】
センサ部２０６は、コンピュータ２０の姿勢（傾き）及び振動を検知するセンサを備える。センサ部２０６が備えるセンサは、例えば、加速度を検知する加速度センサ、振動を検知する振動センサ、角速度を検知するジャイロセンサ等とするとよい。
【００２４】
通信部２０８は、測定機本体と通信可能装置の間のデータ通信をつかさどる。なお、通信部２０８の通信方法は、無線通信及び有線通信のいずれであってもよい。
【００２５】
〔測定プログラムの操作画面〕
次に、制御部２０５が実行し、表示部２０１に表示される測定プログラムの操作画面について説明する。
【００２６】
図３は、表示部２０１に表示される測定プログラムの操作画面の例を示している。図３に表示されるメインウィンドウＭＷの中には、複数のウィンドウ（第１ウィンドウＷ１〜第８ウィンドウＷ８）が表示される。なお、本実施形態では一例として８つのウィンドウを表示する例を示すが、必要に応じて８つ以外のウィンドウ表示を行うこともできる。また、各ウィンドウのレイアウトはユーザの操作によって自由に変更することができる。
【００２７】
第１ウィンドウＷ１には、画像測定装置１で取り込んだワークＷの画像ＷＧが表示される。第２ウィンドウＷ２には、ユーザによって選択可能なツールのアイコンが表示される。ツールのアイコンは、ワークＷの画像ＷＧから測定ポイントを指定するための指定方法に対応して設けられている。第３ウィンドウＷ３には、ユーザによって選択可能なファンクションのアイコンが表示される。第４ウィンドウＷ４には、測定に関する操作手順を表すガイダンスや、操作ステップに対応した絵柄Ｇが表示される。第５ウィンドウＷ５には、ワークＷに照射する照明をコントロールするための各種スライダが表示される。ユーザは、このスライダを操作することで、ワークＷに対して所望の照明を当てることができる。第６ウィンドウＷ６には、ステージ１２のＸＹ座標値が表示される。第６ウィンドウＷ６に表示されるＸＹ座標値は、所定の原点に対するステージ１２のＸ軸方向の座標及びＹ軸方向の座標である。第７ウィンドウＷ７には、公差判定結果が表示される。すなわち、第７ウィンドウＷ７には、公差の判定を行うことができる測定方法を選択した場合に、その結果が表示される。第８ウィンドウＷ８には、測定結果が表示される。すなわち、第８ウィンドウＷ８には、所定の演算によって測定結果を得る測定方法が選択された場合に、その測定結果が表示される。なお、第７ウィンドウＷ７の公差判定結果及び第８ウィンドウＷ８の測定結果の表示の詳細は図示を省略する。
【００２８】
また、図３に示したように、メインウィンドウＭＷ内の上部には、文字で表記されたメニュー項目が並んだメニューバーＭＢや各種操作及び設定のためのアイコンが並んだツールバーＴＢも表示される。メニューバーＭＢやツールバーＴＢは、例えばメインウィンドウＭＷの上に表示されるが、設定等によりメインウィンドウＭＷ内における相対的な表示位置（例えば、下、右、左等）が選択できるようにしてもよい。通常、メニューバーＭＢに表示されるメニューやツールバーＴＢに表示されるアイコンは、マウス等の従来の入力手段による操作に適したサイズで表示されており、タッチインタフェースによる操作では誤操作を生じやすい。
【００２９】
〔拡大表示処理〕
続いて、表示部２０１に表示している画面を部分的に拡大表示する拡大表示処理について説明する。拡大表示処理は、記憶部２０２に記憶された拡大表示プログラムにより実現される。図４は、拡大表示処理の手順を示すフローチャートである。拡大表示処理は、センサ部２０６にて、所定の振動が検知されたことを条件に開始される。すなわち、センサ部２０６が鉛直方向の振動を検知しない限り、拡大表示処理は開始されない。ここで、所定の振動とは、例えば、所定の閾値を越える強度の振動とするとよい。また、振動の方向を限定せず、いずれの方向でも振動の大きさが閾値以上であれば所定の振動としてもよいし、予め定められた方向（例えば上下（鉛直）方向、左右方向、前後方向等）の振動のみを所定の振動としてもよい。振動の方向を限定する場合、その方向は予め決められた方向としてもよいし、ユーザが設定で変更できるようにしてもよい。なお、本例では、図３に示した操作画面が表示される状態で振動が検出され、拡大表示処理が開始される場合を例に説明する。
【００３０】
センサ部２０６が鉛直方向の振動を検知したことにより拡大表示処理が開始されると、制御部２０５は、振動を検知したときのコンピュータ２０の姿勢（または傾き）をセンサ部２０６から取得する（ステップＳ１００）。続いて、制御部２０５は、取得した姿勢に応じて、表示部２０１において拡大した表示を行う領域（以下、拡大表示領域という）ＥＲの位置及び当該拡大表示領域ＥＲに表示する拡大表示内容を決定し、表示部２０１の拡大表示領域ＥＲに拡大表示内容を表示させる（ステップＳ１１０）。なお、拡大表示内容は、表示部２０１に表示させている映像の一部である。例えば、図５（ａ）に示した表示部２０１の画面の法線が鉛直上方を向いた水平姿勢を基準とし、ステップＳ１００にてこの水平姿勢を検知した場合には、表示部２０１の中央部の領域（例えば、画面の中心を含む所定の領域）を拡大表示領域ＥＲとするとよい。このとき、拡大表示内容は、図６（ａ）に示すように、元の操作画面の中心を含み拡大表示領域ＥＲと相似形の領域ＯＲ内の表示内容とし、これを縦横比を維持したまま拡大表示領域ＥＲのサイズに合わせて拡大して表示するとよい。なお、拡大表示領域ＥＲにおける表示倍率（すなさち、拡大表示領域ＥＲと元の操作画面で拡大表示内容が表示されている領域との寸法比）は、予め定められた倍率としてもよいが、拡大表示処理の開始時に検知した振動の回数に応じて（例えば回数が多いほど高倍率で）決定するようにすることが好ましい。
【００３１】
また、図５（ｂ）に示すように、コンピュータ２０の上部が持ち上げられた姿勢が検知された場合には、表示部２０１の上部の領域（例えば、縦方向を画面上端から所定高さまで、横方向を画面の全幅とする領域）を拡大表示領域ＥＲとするとよい。またこのとき、拡大表示内容は、例えば図６（ｂ）に示すように、元の操作画面における左上端部を含み拡大表示領域ＥＲと相似形の領域ＯＲ内の表示内容とし、これを縦横比を維持したまま拡大表示領域ＥＲのサイズに合わせて拡大して表示するとよい。
【００３２】
また、図５（ｃ）に示すように、コンピュータ２０の下部が持ち上げられた姿勢が検知された場合には、表示部２０１の下部の領域（例えば、縦方向を画面下端から所定高さまで、横方向を画面の全幅とする領域）を拡大表示領域ＥＲとするとよい。この場合、図６（ｃ）に示すように、拡大表示内容は、元の操作画面における左下端部を含み拡大表示領域ＥＲと相似形の領域ＯＲ内の表示内容とし、これを縦横比を維持したまま拡大表示領域ＥＲのサイズに合わせて拡大して表示するとよい。
【００３３】
また、図５（ｄ）に示すように、コンピュータ２０の右側が持ち上げられた姿勢が検知された場合には、表示部２０１の右側の領域（例えば、縦方向は画面上端から下端まで、横方向の右端から所定の幅となる位置までの領域）を拡大表示領域ＥＲとするとよい。この場合、図６（ｄ）に示すように、拡大表示内容は、元の操作画面における右上端部を含み拡大表示領域ＥＲと相似形の領域ＯＲ内の表示内容とし、これを縦横比を維持したまま拡大表示領域ＥＲのサイズに合わせて拡大して表示するとよい。同様に、コンピュータ２０の左側が持ち上げられた姿勢が検知された場合には、表示部２０１の左側の領域を拡大表示領域ＥＲとし、拡大表示内容も同様に決定するとよい。
【００３４】
なお、拡大表示領域ＥＲの表示位置や拡大表示領域ＥＲに最初に表示する拡大表示内容（つまり相似形の領域ＯＲ）は、振動検知時の姿勢に対応付けて、ユーザが事前に設定できるように構成することが好ましい。このようにすれば、使用する頻度の高い領域を最初から拡大表示することができ、拡大表示処理の都度、表示内容を変更する手間を省くことができる。また、上記の例では、振動を検知したときの姿勢に応じて、拡大表示領域ＥＲの位置及び当該拡大表示領域ＥＲに表示する拡大表示内容の両方を異ならせたが、拡大表示領域ＥＲの位置及び当該拡大表示領域ＥＲに表示する拡大表示内容の一方のみを異ならせるようにしてもよい。例えば、拡大表示領域ＥＲの表示位置は振動を検知したときの姿勢に関わらず画面の上部（図６（ｂ）参照）とし、拡大表示領域ＥＲに最初に表示される拡大表示内容を、振動を検知したときの姿勢に応じて異ならせるようにするとよい。このようにすれば、コンピュータ２０を手に持って操作する場合に操作性のよい位置（例えば画面の上部又は下部）に拡大表示領域ＥＲを配置させることができ、誤操作を防ぐことができる。
【００３５】
続いて、制御部２０５は、タッチパネル２０４に対する接触が検出されたか否かを判定する（ステップＳ１２０）。接触が検出されていない場合（ステップＳ１２０；Ｎｏ）、タップが検出されるまで処理を繰り返す。つまり、コンピュータ２０は、タッチパネル２０４に対する接触が検知されるまで待つことになる。
【００３６】
タッチパネル２０４に対する接触を検知すると（ステップＳ１２０；Ｙｅｓ）、制御部２０５は、接触が開始された位置が拡大表示領域内か否かを判定する（ステップＳ１３０）。
【００３７】
接触が開始された位置が拡大表示領域ＥＲ内でない場合（ステップＳ１３０；Ｎｏ）、制御部２０５は、拡大表示を終了して表示部２０１における表示を、元の操作画面（拡大表示処理を開始する前の操作画面）に戻し（ステップＳ１８０）、処理を終了する。
【００３８】
一方、接触が開始された位置が拡大表示領域ＥＲ内である場合（ステップＳ１３０；Ｙｅｓ）、その接触による操作がスライド操作（接触を維持したまま接触位置を移動してから離す操作）であるか否かを判定する（ステップＳ１４０）。
【００３９】
拡大表示領域ＥＲ内への接触による操作がスライド操作である場合（ステップＳ１４０；Ｙｅｓ）、制御部２０５は、スライドの方向及び／又は大きさに応じて拡大表示内容を変更する（ステップＳ１７０）。例えば、図７（ａ）に示したように、画面上部に位置する拡大表示領域ＥＲに、操作画面の左上部分のメニューバーＭＢやツールバーＴＢが拡大されて表示されている状態で、拡大表示領域ＥＲ内の接触位置を左方向に移動させるスライド操作を検知した場合には、スライド操作に追随して拡大表示内容を変更し、図７（ｂ）に示したように、当初の位置よりも右側の領域が拡大表示内容となるようにするとよい。制御部２０５は、ステップＳ１７０の終了後、処理をステップＳ１２０に戻し、次の接触が検知されるのを待つ。ユーザは拡大表示領域内でのスライド操作を繰り返して、操作画面の中の拡大表示したい部分が拡大表示領域ＥＲ内に表示されるようにすることができる。
【００４０】
拡大表示領域ＥＲ内への接触による操作がスライド操作でない（つまり、スライド操作以外のタッチ操作である）場合（ステップＳ１４０；Ｎｏ）、制御部２０５は、タッチ操作が行われたときに拡大表示領域ＥＲに表示している拡大表示内容に基づいて、拡大表示領域ＥＲにおける接触位置を、元の操作画面（拡大表示処理を開始する前の操作画面）における位置に変換し（ステップＳ１５０）、変換後の元の操作画面における位置に対するタッチ操作が入力されたものとして操作を受け付ける（ステップＳ１６０）。例えば、拡大表示領域ＥＲに表示されている拡大されたツールバーのアイコンをタップした場合には、制御部２０５は、元の操作画面で該アイコンがタップされたときと同じ入力として操作を受け付け、測定プログラムにおいて当該アイコンに割り当てられた処理を実行する。拡大表示処理のフローとしては、制御部２０５は、ステップＳ１６０の終了後、処理をステップＳ１２０に戻し、次の接触が検知されるのを待つ。
【００４１】
以上で説明した拡大表示処理により、タッチ入力に適した操作インタフェースを実現することができる。特に、従来のＰＣソフトウェアをそのまま使用しても、入力操作をしようとする部分を拡大表示させてタップすることができるので、誤入力を防ぐことができる。例えば、画面上部に表示されたメニューバーＭＢやツールバーＴＢは、比較的小さいサイズで表示されることが多いため、通常の表示状態でタッチ入力を行うと意図せぬ入力をしてしまう恐れがあるが、本発明を適用することにより、誤入力を防ぐことができる。
【００４２】
なお、上記に本実施形態を説明したが、本発明はこの例に限定されるものではない。例えば、上記の実施形態では、拡大表示処理を、画像測定装置の測定プログラムの測定画面に適用する場合を例に説明したが、測定装置は画像測定装置に限定されずいかなる測定機であってもよい。また、測定装置の測定プログラム以外の様々なプログラムの操作画面に適用することができる。
【００４３】
また、上記実施形態では、表示部２０１の画面の法線が鉛直上方を向いた水平姿勢を基準に姿勢を判定したが、姿勢の基準は任意である。例えば、コンピュータ２０をまっすぐに立てた姿勢（表示部２０１の画面の法線が水平となり、且つ、画面の横方向も水平となっている姿勢）を基準にした傾きにより姿勢を判定してもよい。  
【００４４】
また、上記実施形態では、表示部２０１及びタッチパネル２０４によるタッチパネルディスプレイを備えるコンピュータ２０が、測定装置を制御する機能をも備える構成としたが、測定装置を制御する機能は、タッチパネルディスプレイを備えるコンピュータとは別体の制御装置として提供されてもよい。この場合、タッチパネルディスプレイを備えるコンピュータは制御装置の入出力装置として機能するようにしてもよい。
【００４５】
また、上記実施形態では、拡大表示領域ＥＲ内でない領域への接触を検知すると、拡大表示を終了して元の画面に戻ったが、拡大表示領域ＥＲ内でない領域への接触に代えて／加えて、一定時間、接触が検知されない場合に拡大表示を終了するようにしてもよい。
【００４６】
また、上記実施形態では、拡大表示領域ＥＲ内へのスライド操作を検知すると、スライド操作に追随して拡大表示内容を変更したが、拡大表示内容を移動させるための操作オブジェクト（例えば操作ボタン）を表示部２０１に表示し、当該操作オブジェクトに対する操作をタッチパネル２０４が検知した場合に当該操作に応じて拡大表示内容を変更してもよい。なお、拡大表示内容を移動させるための操作オブジェクトは、拡大表示領域ＥＲ内に表示するとよい。
【００４７】
また、前述の各実施形態に対して、当業者が適宜、構成要素の追加、削除、設計変更を行ったものや、各実施形態の特徴を適宜組み合わせたものも、本発明の要旨を備えている限り、本発明の範囲に含有される。
【符号の説明】
【００４８】
１    画像測定装置
３    除振台
１０    測定装置本体
１１    架台
１２    ステージ
１３ａ、１３ｂ    支持アーム
１４    Ｘ軸ガイド
１５    撮像ユニット
２０    コンピュータ
２０１    表示部
２０２    記憶部
２０４    タッチパネル
２０５    制御部
２０６    センサ部
２０８    通信部
【図１】
2019012490.tif 000003
【図２】
2019012490.tif 000004
【図３】
2019012490.tif 000005
【図４】
2019012490.tif 000006
【図５】
2019012490.tif 000007
【図６】
2019012490.tif 000008
【図７】
2019012490.tif 000009